(57)【要約】【課題】屋根材上を流れる水がカバー体で堰き止められることなく、谷板の谷部中央側にスムーズに流すことができて、漏水を防止することができると共に、カバー体及び谷板の加工やカバー体の取り付けが簡単になるようにする。【解決手段】谷板３上に屋根材１１が突出され、該屋根材１１の谷板側端部を覆うカバー体１２が設けられた屋根の谷納め構造において、屋根材１１上を流れる水が、カバー体１２と谷板３との隙間３１から谷板３上の谷部中央側に流れるように、カバー体１２が谷板３上面から上方に浮いた状態に支持されている。【選択図】      図１
2005009254.tif 000002
【特許請求の範囲】
【請求項１】
谷板（３）上に屋根材（１１）が突出され、該屋根材（１１）の谷板側端部を覆うカバー体（１２）が設けられた屋根の谷納め構造において、
屋根材（１１）上を流れる水が、カバー体（１２）と谷板（３）との隙間（３１）から谷板（３）上の谷部中央側に流れるように、カバー体（１２）が谷板（３）上面から上方に浮いた状態に支持されていることを特徴とする屋根の谷納め構造。
【請求項２】
カバー体（１２）を支持する固定部材（１３）が設けられ、固定部材（１３）は野地板（１）側に固定される固定部（１９）と、カバー体（１２）が取り付けられる取付部（２０）とを有し、固定部（１９）は屋根材（１１）の下方に配置されて釘等の固着具（２１）で野地板（１）側に固定され、取付部（２０）は屋根材（１１）の谷板側端部の外方に起立状に配置され、この取付部（２０）に、前記カバー体（１２）が谷板（３）上面から上方に浮いた状態になるように固定されていることを特徴とする請求項１に記載の屋根の谷納め構造。
【請求項３】
前記カバー体（１２）は、屋根材（１１）の谷板（３）側上面を覆う上面覆い部（１５）と、屋根材（１１）の谷板側端面を覆う端面覆い部（１６）とを一体に有し、カバー体（１２）の端面覆い部（１６）の下端と谷板（３）上面との間に、水の通路となる隙間（３１）が形成されていることを特徴とする請求項１に記載の屋根の谷納め構造。
【請求項４】
前記カバー体（１２）の上面覆い部（１５）は、屋根材（１１）の谷板側上面から離間して屋根材（１１）の谷板側上面を覆うように配置され、カバー体（１２）の端面覆い部（１６）は、屋根材（１１）の谷板側端面から離間して屋根材（１１）の谷板側端面を覆うように配置されていることを特徴とする請求項３に記載の屋根の谷納め構造。
【請求項５】
前記固定部材（１３）の固定部（１９）と取付部（２０）との間に、谷板（３）から浮き上がった載置部（２２）が設けられ、この載置部（２２）に、屋根材（１１）の谷板側端部が載置されていることを特徴とする請求項２に記載の屋根の谷納め構造。
【発明の詳細な説明】
【０００１】
【発明の属する技術分野】
本発明は、屋根の谷納め構造に関するものである。
【０００２】
【従来の技術】
従来の屋根の谷納め構造には、図１８及び図１９に示すように、野地板６１上に設けた谷板６２の両側から谷板６２上に多数の屋根材６３が突出され、各屋根材６３の谷板側端部の切断面を隠すために、屋根材６３の谷板側端部を覆う短尺又は長尺のカバー体６５を左右一対設け、意匠性の向上を図ったものがある（例えば特許文献１）。
【０００３】
【特許文献１】
特開平１１−６２６５２号公報
【特許文献２】
特開平１０−２２５８５３号公報
【０００４】
【発明が解決しようとする課題】
しかし、従来の屋根の谷納め構造では、屋根材６３上を流れる水がカバー体６５で堰き止められ、谷板６２の谷部中央へはあまり流れず、カバー体６５で堰き止められた水は、カバー体６５より外側の谷板６２の外側部分に流れるため、漏水の恐れがあった。
また、カバー体６５の保持のため、特殊な形状の谷板６２を使用し、カバー体６５を特殊な形状の谷板６２に嵌合するようにしており、カバー体６５及び谷板６２の加工やカバー体６５の谷板６２への接合乃至嵌合（カバー体６５の取り付け）が面倒であった。
【０００５】
本発明は上記問題点に鑑み、屋根材上を流れる水がカバー体で堰き止められることなく、谷板の谷部中央側にスムーズに流すことができて、漏水を防止することができると共に、カバー体及び谷板の加工やカバー体の取り付けが簡単になるようにしたものである。
【０００６】
【課題を解決するための手段】
この技術的課題を解決するための本発明の技術的手段は、谷板３上に屋根材１１が突出され、該屋根材１１の谷板側端部を覆うカバー体１２が設けられた屋根の谷納め構造において、
屋根材１１上を流れる水が、カバー体１２と谷板３との隙間３１から谷板３上の谷部中央側に流れるように、カバー体１２が谷板３上面から上方に浮いた状態に支持されている点にある。
【０００７】
また、本発明の他の技術的手段は、カバー体１２を支持する固定部材１３が設けられ、固定部材１３は野地板１側に固定される固定部１９と、カバー体１２が取り付けられる取付部２０とを有し、固定部１９は屋根材１１の下方に配置されて釘等の固着具２１で野地板１側に固定され、取付部２０は屋根材１１の谷板側端部の外方に起立状に配置され、この取付部２０に、前記カバー体１２が谷板３上面から上方に浮いた状態になるように固定されている点にある。
また、本発明の他の技術的手段は、前記カバー体１２は、屋根材１１の谷板３側上面を覆う上面覆い部１５と、屋根材１１の谷板側端面を覆う端面覆い部１６とを一体に有し、カバー体１２の端面覆い部１６の下端と谷板３上面との間に、水の通路となる隙間３１が形成されている点にある。
【０００８】
また、本発明の他の技術的手段は、前記カバー体１２の上面覆い部１５は、屋根材１１の谷板側上面から離間して屋根材１１の谷板側上面を覆うように配置され、カバー体１２の端面覆い部１６は、屋根材１１の谷板側端面から離間して屋根材１１の谷板側端面を覆うように配置されている点にある。
また、本発明の他の技術的手段は、前記固定部材１３の固定部１９と取付部２０との間に、谷板３から浮き上がった載置部２２が設けられ、この載置部２２に、屋根材１１の谷板側端部が載置されている点にある。
【０００９】
【発明の実施の形態】
以下、本発明を図示の実施の形態に従って説明する。
図１〜図３において、１は屋根の谷部に設けられた野地板で、この野地板１上にアスファルトルーフィング等の防水シート２を介して、谷板３が設けられている。谷板３は、図５にも示すように、中央下がりに傾斜した左右一対の傾斜板部５を有し、各傾斜板部５の外端部にＶ字状に折り返してなる係止部６が形成されている。
【００１０】
谷板３の両側部に吊り子８が設けられている。この吊り子８は、図８〜図１２に示すように、谷板３長手方向に間隔おいて複数個設けられており、各吊り子８は、固定部８ａとＵ字状に屈曲されたフック部８ｂとを有し、吊り子８の固定部８ａは釘等の固着具９により野地板１に固定され、フック部８ｂは谷板３の係止部６に係合され、谷板８は複数の吊り子８を介して野地板１に固定されている。谷板３の両側から谷板３上に多数の屋根材１１が突出されている。谷板３の両側の各屋根材１１の谷板側端部を覆うカバー体１２が左右一対設けられている。
【００１１】
前記カバー体１２は、図４にも示すように、細長い金属板を２つ折りにしてＬ字状に折り曲げてなり、上記２つ折りにした折曲端部側の上面覆い部１５と開放端側の端面覆い部１６とを一体に有し、後述の如く上面覆い部１５は、屋根材１１の谷板側上面を覆い、端面覆い部１６は、屋根材１１の谷板側端面を覆っている。
各カバー体１２は、谷板３の両側部に谷板長手方向に間隔をおいて配置した複数の固定金具（固定部材）１３により支持されている。固定金具（固定部材）１３は、金属板により構成され、図６及び図７にも示すように、野地板１側に固定される固定部１９と、カバー体１２が取り付けられる取付部２０とを有し、固定部１９は屋根材１１の下方に配置されて釘等の固着具２１で野地板１側に固定され、取付部２０は屋根材１１の谷板側端部の外方に起立状に配置されている。
【００１２】
固定金具１３の固定部１９と取付部２０との間に、谷板３から浮き上がった載置部２２が設けられ、固定金具１３の載置部２２に、屋根材１１の谷板側端部が載置されている。載置部２２の内端部に下方突出した内脚部２５が設けられて谷板３に接当され、この内脚部２５から内方上がりに傾斜した傾斜突部２６を介して前記取付部２０が上方突出されている。載置部２２の外側端部に固定部１９から内方上がりに傾斜した外脚部２７が設けられ、この外脚部２７の下面に沿うように谷板３の係止部６及び吊り子８のフック部８ｂが配置され、吊り子８の固定部８ａは、釘等の固着具９と共に、固定金具１３の固定部１９の下側に配置されている。
【００１３】
カバー体１２の端面覆い部１６が複数の固定金具１３の取付部２０に嵌合されて、リベット等の締結具２９により固定され、これにより、カバー体１２が複数の固定金具１３に固定され、各カバー体１２は、谷板３上面から上方に浮いた状態に支持され、カバー体１２の上面覆い部１５は、屋根材１１の谷板側上面からやや上方に離間して屋根材１１の谷板側上面を覆うように配置され、カバー体１２の端面覆い部１６は、屋根材１１の谷板側端面からやや外側方に離間して屋根材１１の谷板側端面を覆うように配置され、カバー体１２の端面覆い部１６の下端と谷板３上面との間に、水の通路となる隙間３１が形成され、屋根材１１上を流れる水が、カバー体１２と谷板３との隙間３１から谷板３上の谷部中央側に流れるようになっている。
【００１４】
上記実施の形態によれば、屋根の谷部を施工する場合、まず、図８に示すように、屋根の谷部の野地板１上に谷板３を配置し、複数の吊り子８で谷板３を野地板１側に固定する。次に、図９に示すように、谷板１の両側部に沿うように複数の固定金具１３を配置して、釘等の固着具２１で固定金具１３を野地板１に固定する。次に、図１０に示すように、谷板３の一側部に、カバー体１２を配置して、カバー体１２の端面覆い部１６を、谷板３の一側部に沿うように設けられた各固定金具１３の取付部２０に嵌合して、リベット等の締付具２９で各固定金具１３の取付部２０に固定することにより、複数の固定金具１３を介して一方のカバー体１２を谷板３上面から上方に浮いた状態に支持する。
【００１５】
その後、図１１に示すように、屋根の谷部の一方側の屋根面に、複数の屋根材１１を軒先側から順次棟側に向けて葺いていき、各屋根材１１を谷板３の一側部上に突出させて、各屋根材１１の谷板側端部を、固定金具１３の載置部２２上に載置し、各屋根材１１の谷板側上面をカバー体１２の上面覆い部１５に近接対向させると共に、各屋根材１１の谷板側端面をカバー体１２の端面覆い部１６に近接対向させる。
また、上記と同様に、谷板３の他側部に、複数の固定金具１３により他方のカバー体１２を谷板３上面から上方に浮いた状態に支持し、その後、谷部の他方側の屋根面に、複数の屋根材１１を軒先側から順次棟側に向けて葺いていき、その各屋根材１１を谷板３の他側部上に突出させて、各屋根材１１の谷板側端部を、固定金具１３の載置部２２上に載置し、各屋根材１１の谷板側上面をカバー体１２の上面覆い部１５に近接対向させると共に、各屋根材１１の谷板側端面をカバー体１２の端面覆い部１６に近接対向させればよい。
【００１６】
従って、カバー体１２を固定金具１３によって支持するため、従来のようにカバー体１２の保持のため、谷板３を特殊な形状にする必要がなくなり、カバー体１２及び谷板３を単純な形状になし得るため、カバー体１２及び谷板３の加工やカバー体１２の取り付けが非常に簡単になる。
そして、谷部の施工後は、カバー体１２の上面覆い部１５と端面覆い部１６とで、各屋根材１１の谷板側端部の上面と端面とを覆って、各屋根材１１の谷板側端部の切断面を確実に隠すことができるため、各屋根材１１の谷板側端部を外観上の体裁をよいものにして、意匠性の向上を図ることができる。
【００１７】
そして、雨天時等に、屋根材１１上を流れる水は、従来のようにカバー体１２で堰き止められることはなくなり、図１に矢印ａで示すように、屋根材１１とカバー体１２の間を通って、カバー体１２と谷板３との隙間３１から谷板３上の谷部中央側にスムーズに流れ、漏水を防止することができる。
図１３〜図１７は他の実施の形態を示し、カバー体１２は、細長い金属板を２つ折りにすることなく、Ｌ字状に折り曲げてなり、屋根材１１の谷板側上面を覆う上面覆い部１５と、屋根材１１の谷板側端面を覆う端面覆い部１６とを一体に有している。また、固定金具１３は、その取付部２０が、屋根材１１の谷板側端部の端面及び上面に沿うようにＬ字状に折り曲げられて、起立片２０ａと折曲片２０ｂとを有し、カバー体１２の端面覆い部１６は取付部２０の起立片２０ａに添って配置され、上面覆い部１５は取付部２０の折曲片２０ｂに添って配置され、上面覆い部１５が止めねじ等の締結具２９により取付部２０の折曲片２０ａに固定されている。その他の点は前記実施の形態の場合と同様の構成であり、前記実施の形態の場合と同様の作用効果を奏する。
【００１８】
なお、前記実施の形態では、カバー体１２を支持する固定部材として、金属により構成した固定金具１３を使用しているが、これに代え、固定部材１３を硬質の合成樹脂その他で構成するようにしてもよい。
【００１９】
【発明の効果】
本発明によれば、屋根材上を流れる水がカバー体で堰き止められることなくなり、谷板の谷部中央側にスムーズに流すことができて、漏水を防止することができる。カバー体及び谷板の構造が簡単になって、カバー体及び谷板の加工やカバー体の取り付けが簡単になる。
【図面の簡単な説明】
【図１】本発明の一実施の形態を示す屋根の谷部の正面断面図である。
【図２】同屋根の谷部の拡大断面図である。
【図３】同カバー体及び固定金具部分の正面図である。
【図４】同カバー体の正面図である。
【図５】同谷板の正面図である。
【図６】同固定金具の正面図である。
【図７】同固定金具の平面図である。
【図８】同屋根の谷部の施工工程を示す斜視図である。
【図９】同屋根の谷部の施工工程を示す斜視図である。
【図１０】同屋根の谷部の施工工程を示す斜視図である。
【図１１】同屋根の谷部の施工工程を示す斜視図である。
【図１２】同屋根の谷部の施工工程を示す斜視図である。
【図１３】他の実施形態を示す断面図である。
【図１４】同カバー体及び固定金具部分の正面図である。
【図１５】同カバー体の正面図である。
【図１６】同固定金具の平面図である。
【図１７】同固定金具の正面図である。
【図１８】従来の屋根の谷部の正面断面図である。
【図１９】同カバー体の斜視図である。
【符号の説明】
１    野地板
３    谷板
１１    屋根材
１２    カバー体
１３    固定金具（固定部材）
１５    上面覆い部
１６    端面覆い部
１９    固定部
２０    取付部
２１    固着具
２２    載置部
３１    隙間
【図１】
2005009254.tif 000003
【図２】
2005009254.tif 000004
【図３】
2005009254.tif 000005
【図４】
2005009254.tif 000006
【図５】
2005009254.tif 000007
【図６】
2005009254.tif 000008
【図７】
2005009254.tif 000009
【図８】
2005009254.tif 000010
【図９】
2005009254.tif 000011
【図１０】
2005009254.tif 000012
【図１１】
2005009254.tif 000013
【図１２】
2005009254.tif 000014
【図１３】
2005009254.tif 000015
【図１４】
2005009254.tif 000016
【図１５】
2005009254.tif 000017
【図１６】
2005009254.tif 000018
【図１７】
2005009254.tif 000019
【図１８】
2005009254.tif 000020
【図１９】
2005009254.tif 000021
【手続補正書】
【提出日】平成15年7月23日(2003.7.23)
【手続補正１】
【補正対象書類名】明細書
【補正対象項目名】０００３
【補正方法】変更
【補正の内容】
【０００３】
【特許文献１】
特開２０００−２５７２１８号公報
【特許文献２】
特開２０００−５４５７０号公報